(57)【特許請求の範囲】
【請求項１】
二次元的に配列された複数の単位受光素子の集合からなる固体撮像素子上に被写体を結像させて該被写体を表わす画像データを得る写真撮影を行うデジタルカメラであって、設定された感度に応じた露出制御を行なうデジタルカメラにおいて、
感度を設定する感度設定操作子と、
記録画像サイズを設定する画像サイズ設定操作子と、
前記感度設定操作子の操作により所定の感度に設定されている場合に作用し、前記固体撮像素子を構成する複数の単位受光素子で得られた複数の輝度情報を、隣接する所定数の単位受光素子で得られた所定数の輝度情報ごとに統合して１つの輝度情報とする画素混合により、記録可能な画像サイズを所定の高感度対応画像サイズに下げて該所定の高感度を実現する画素混合部と、
前記画像サイズ設定操作子の操作に応じて記録画像サイズを設定するとともに、前記感度設定操作子の操作による前記所定の高感度の設定を受けて、それまで前記高感度対応画像サイズよりも大きい記録画像サイズが設定されていた場合に記録画像サイズを該高感度対応画像サイズに変更する画像サイズ設定部と、
前記画像サイズ設定部により前記感度設定操作子の操作による前記所定の高感度の設定を受けて記録画像サイズを前記高感度対応画像サイズに変更された場合に、記録画像サイズの該高感度対応画像サイズに変更されたことを表示する表示部とを備えたことを特徴とするデジタルカメラ。
【請求項２】
二次元的に配列された複数の単位受光素子の集合からなる固体撮像素子上に被写体を結像させて該被写体を表わす画像データを得る写真撮影を行うデジタルカメラであって、設定された感度に応じた露出制御を行なうデジタルカメラにおいて、
感度を設定する感度設定操作子と、
記録画像サイズを設定する画像サイズ設定操作子と、
感度設定操作子の操作により所定の感度に設定されている場合に作用し、前記固体撮像素子を構成する複数の単位受光素子で得られた複数の輝度情報を、隣接する所定数の単位受光素子で得られた所定数の輝度情報ごとに統合して１つの輝度情報とする画素混合により、記録可能な画像サイズを所定の高感度対応画像サイズに下げて該所定の高感度を実現する画素混合部と、
前記画像サイズ設定操作子の操作に応じて記録画像サイズを設定するとともに、前記感度設定操作子の操作による前記所定の高感度の設定を受けて、それまで前記高感度対応画像サイズよりも大きい記録画像サイズが設定されていた場合に記録画像サイズを該高感度対応画像サイズに変更する画像サイズ設定部と、
前記所定の高感度に設定されている状態にある間、該所定の高感度に設定されていることを表示する表示部とを備えたことを特徴とするデジタルカメラ。
【請求項３】
二次元的に配列された複数の単位受光素子の集合からなる固体撮像素子上に被写体を結像させて該被写体を表わす画像データを得る写真撮影を行うデジタルカメラであって、設定された感度に応じた露出制御を行なうデジタルカメラにおいて、
感度を設定する感度設定操作子と、
記録画像サイズを設定する画像サイズ設定操作子と、
前記感度設定操作子の操作により所定の感度に設定されている場合に作用し、前記固体撮像素子を構成する複数の単位受光素子で得られた複数の輝度情報を、隣接する所定数の単位受光素子で得られた所定数の輝度情報ごとに統合して１つの輝度情報とする画素混合により、記録可能な画像サイズを所定の高感度対応画像サイズに下げて該所定の高感度を実現する画素混合部と、
前記画像サイズ設定操作子の操作に応じて記録画像サイズを設定するとともに、前記感度設定操作子の操作による前記所定の高感度の設定を受けて、それまで前記高感度対応画像サイズよりも大きい記録画像サイズが設定されていた場合に記録画像サイズを該高感度対応画像サイズに変更する画像サイズ設定部と、
拡大する範囲の記録可能な画像サイズが前記高感度対応画像サイズよりも大きい場合にのみ動作可能であって該高感度対応画像サイズを拡大の最大限とする電子ズーム機能を実現する電子ズーム演算部と、
前記画像サイズ設定部により前記感度設定操作子の操作による前記所定の高感度の設定を受けて記録画像サイズを前記高感度対応画像サイズに変更された場合に、電子ズーム機能の使用が不能であることを表示する表示部とを備えたことを特徴とするデジタルカメラ。
【発明の詳細な説明】
【０００１】
【発明の属する技術分野】
本発明は、固体撮像素子上に被写体を結像させて写真撮影を行なうデジタルカメラに関する。
【０００２】
【従来の技術】
最近では、二次元的に配列された複数の単位受光素子の集合からなる固体撮像素子上に被写体を結像させ、この被写体を表わす画像データを得る写真撮影を行うデジタルカメラが、その単位受光素子の小型化および低コスト化と相俟って普及しており、これらデジタルカメラでは、メニュー表示の中でＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）値を選択するなどして設定された感度に応じた露出制御が行なわれている。
【０００３】
これらデジタルカメラには、その感度設定が高感度である場合に、固体撮像素子を構成する複数の単位受光素子で得られた複数の輝度情報を、隣接する所定数の単位受光素子で得られた所定数の輝度情報ごとに統合して１つの輝度情報とする画素混合を行なって高感度を実現することが考えられる。例えば、固体撮像素子が６００万個の単位受光素子で構成されているデジタルカメラ、すなわち記録可能な画像サイズが６メガピクセルであるデジタルカメラにおいて、ＩＳＯ８００相当の高感度撮影が指定されると、４つの単位受光素子が統合されて１つの単位受光素子とみなされ、記録可能な画像サイズは１．５メガピクセルとなる。
【０００４】
【発明が解決しようとする課題】
しかし、多くのユーザにとって、このような、感度設定と、記録可能な画像サイズとの相関関係はなじみの薄いものであるため、記録可能な画像サイズが６メガピクセルであるデジタルカメラを例にとると、画像を３メガピクセルの画像サイズで記録したい場合に高感度設定を行なうと、記録可能な画像サイズが１．５メガピクセルになることから、設定した記録画像サイズ（３メガピクセル）では撮影は行なわれず、結果として、意図した画質よりも粗い画質での写真撮影が行なわれてしまうという問題が起こる。
【０００５】
本発明は、上記事情に鑑み、記録可能な画像サイズの減縮による高感度化に起因する撮影ミスの防止が図られたデジタルカメラを提供することを目的とする。
【０００６】
【課題を解決するための手段】
上記目的を達成するための本発明の第１のデジタルカメラは、
二次元的に配列された複数の単位受光素子の集合からなる固体撮像素子上に被写体を結像させてこの被写体を表わす画像データを得る写真撮影を行うデジタルカメラであって、設定された感度に応じた露出制御を行なうデジタルカメラにおいて、
感度を設定する感度設定操作子と、
記録画像サイズを設定する画像サイズ設定操作子と、
上記感度設定操作子の操作により所定の感度に設定されている場合に作用し、上記固体撮像素子を構成する複数の単位受光素子で得られた複数の輝度情報を、隣接する所定数の単位受光素子で得られた所定数の輝度情報ごとに統合して１つの輝度情報とする画素混合により、記録可能な画像サイズを所定の高感度対応画像サイズに下げてこの所定の高感度を実現する画素混合部と、
上記画像サイズ設定操作子の操作に応じて記録画像サイズを設定するとともに、上記感度設定操作子の操作による上記所定の高感度の設定を受けて、それまで上記高感度対応画像サイズよりも大きい記録画像サイズが設定されていた場合に記録画像サイズをこの高感度対応画像サイズに変更する画像サイズ設定部と、
上記画像サイズ設定部により上記感度設定操作子の操作による上記所定の高感度の設定を受けて記録画像サイズを上記高感度対応画像サイズに変更された場合に、記録画像サイズのこの高感度対応画像サイズに変更されたことを表示する表示部とを備えたことを特徴とする。
【０００７】
本発明の第１のデジタルカメラでは、所定の高感度の設定が行なわれると、画素混合によって記録可能な画像サイズが高感度対応画像サイズに縮減されるので、この所定の高感度を設定する以前に設定されていた記録画像サイズが、この高感度対応画像サイズよりも大きなサイズであった場合には、その記録画像サイズが高感度対応画像サイズに変更され、今回の記録画像サイズが、設定したはずの値を下回る値に変更されたことを意味する表示が行なわれる。したがって、本発明の第１のデジタルカメラによれば、所定の高感度を設定することによる記録画像サイズの変更があった場合には、そのことを撮影前に知ることができるので、記録可能な画像サイズの減縮による高感度化に起因する撮影ミスを防止することができる。
【０００８】
上記目的を達成するための本発明の第２のデジタルカメラは、
二次元的に配列された複数の単位受光素子の集合からなる固体撮像素子上に被写体を結像させてこの被写体を表わす画像データを得る写真撮影を行うデジタルカメラであって、設定された感度に応じた露出制御を行なうデジタルカメラにおいて、
感度を設定する感度設定操作子と、
記録画像サイズを設定する画像サイズ設定操作子と、
感度設定操作子の操作により所定の感度に設定されている場合に作用し、上記固体撮像素子を構成する複数の単位受光素子で得られた複数の輝度情報を、隣接する所定数の単位受光素子で得られた所定数の輝度情報ごとに統合して１つの輝度情報とする画素混合により、記録可能な画像サイズを所定の高感度対応画像サイズに下げてこの所定の高感度を実現する画素混合部と、
上記画像サイズ設定操作子の操作に応じて記録画像サイズを設定するとともに、上記感度設定操作子の操作による上記所定の高感度の設定を受けて、それまで上記高感度対応画像サイズよりも大きい記録画像サイズが設定されていた場合に記録画像サイズをこの高感度対応画像サイズに変更する画像サイズ設定部と、
上記所定の高感度に設定されている状態にある間、この所定の高感度に設定されていることを表示する表示部とを備えたことを特徴とする。
【０００９】
本発明の第２のデジタルカメラでは、上記構成により、感度が所定の高感度に設定されていることを意味する表示が、この設定が解除されるまで表示される。したがって、本発明の第２のデジタルカメラによれば、現在の感度設定が、所定の高感度になっていることの注意が常に喚起され、記録画像サイズに関する思い違いをなくすことができるので、記録可能な画像サイズの減縮による高感度化に起因する撮影ミスを防止することができる。
【００１０】
上記目的を達成するための本発明の第３のデジタルカメラは、
二次元的に配列された複数の単位受光素子の集合からなる固体撮像素子上に被写体を結像させてこの被写体を表わす画像データを得る写真撮影を行うデジタルカメラであって、設定された感度に応じた露出制御を行なうデジタルカメラにおいて、
感度を設定する感度設定操作子と、
記録画像サイズを設定する画像サイズ設定操作子と、
上記感度設定操作子の操作により所定の感度に設定されている場合に作用し、上記固体撮像素子を構成する複数の単位受光素子で得られた複数の輝度情報を、隣接する所定数の単位受光素子で得られた所定数の輝度情報ごとに統合して１つの輝度情報とする画素混合により、記録可能な画像サイズを所定の高感度対応画像サイズに下げてこの所定の高感度を実現する画素混合部と、
上記画像サイズ設定操作子の操作に応じて記録画像サイズを設定するとともに、上記感度設定操作子の操作による上記所定の高感度の設定を受けて、それまで上記高感度対応画像サイズよりも大きい記録画像サイズが設定されていた場合に記録画像サイズをこの高感度対応画像サイズに変更する画像サイズ設定部と、
拡大する範囲の記録可能な画像サイズが上記高感度対応画像サイズよりも大きい場合にのみ動作可能であって上記高感度対応画像サイズを拡大の最大限とする電子ズーム機能を実現する電子ズーム演算部と、
上記画像サイズ設定部により上記感度設定操作子の操作による上記所定の高感度の設定を受けて記録画像サイズを上記高感度対応画像サイズに変更された場合に、電子ズーム機能の使用が不能であることを表示する表示部とを備えたことを特徴とする。
【００１１】
本発明の第３のデジタルカメラでは、電子ズーム機能は、画質の悪化の防止のために、固体撮像素子上に設定される拡大範囲によって決定される画像サイズが、高感度対応画像サイズより大きい場合にのみ使用可能となっている。これにより、本発明の第３のデジタルカメラでは、所定の高感度の設定が行なわれると、固体撮像素子上の記録可能な画像サイズと、設定されている記録画像サイズとが、共に高感度対応画像サイズとなり、この電子ズーム機能の使用が不能となるため、電子ズーム機能の使用の不能を表わす表示が行なわれる。したがって、本発明の第３のデジタルカメラによれば、所定の高感度の設定が行なわれると、電子ズームの機能が不能になってしまうことを知って撮影を行なうことができるため、記録可能な画像サイズの減縮による高感度化に起因する撮影ミスを防止することができる。
【００１２】
上記目的を達成するための本発明の第４のデジタルカメラは、
二次元的に配列された複数の単位受光素子の集合からなる固体撮像素子上に被写体を結像させてこの被写体を表わす画像データを得る写真撮影を行うデジタルカメラであって、設定された感度に応じた露出制御を行なうとともにプログラム線図が異なる複数の撮影モードのうちのいずれかの撮影モードが選択され選択された撮影モードに応じたプログラム線図に基づく露出制御を行なうデジタルカメラにおいて、
感度を設定する感度設定操作子と、
記録画像サイズを設定する画像サイズ設定操作子と、
撮影モードを選択する撮影モード選択操作子と、
上記撮影モード選択操作子の操作により所定の高感度対応撮影モードが選択され、かつ上記感度設定操作子の操作により所定の感度に設定されている場合に作用し、上記固体撮像素子を構成する複数の単位受光素子で得られた複数の輝度情報を、隣接する所定数の単位受光素子で得られた所定数の輝度情報ごとに統合して１つの輝度情報とする画素混合により、記録可能な画像サイズを所定の高感度対応画像サイズに下げてこの所定の高感度を実現する画素混合部と、
上記撮影モード選択操作子の操作に応じて感度を設定するとともに、上記撮影モード選択操作子の操作により、それまで選択されていた上記高感度対応撮影モードから別の撮影モードが選択された場合に、感度を所定の初期感度に戻す感度設定部とを備えたことを特徴とする。
【００１３】
本発明の第４のデジタルカメラでは、上記構成により、高感度対応撮影モードにおいて設定された所定の高感度を、高感度対応撮影モード以外のモードに誤って引きずっていくことが防止される。したがって、本発明の第４のデジタルカメラによれば、高感度対応撮影モード以外でいつも使用している感度が意図せずに変更されることが回避されるため、記録可能な画像サイズの減縮による高感度化に起因する撮影ミスを防止することができる。
【００１４】
ここで、本発明の第４のデジタルカメラの上記感度設定部は、上記高感度対応撮影モードにあるときに上記感度設定操作子の操作により、それまで設定されていた所定の通常感度から上記所定の高感度に感度が変更され、その後、上記撮影モード選択操作子の操作により、それまで選択されていた上記高感度対応撮影モードから別の撮影モードが選択された場合に、感度を上記初期感度に戻すとともに、さらにその後、上記撮影モード選択操作子の操作により、再度、上記高感度対応撮影モードが選択された場合に、感度を上記通常感度に設定するものであることが好ましい。
【００１５】
このようにすると、高感度対応撮影モードにおいて、いつも使用している通常感度がある場合に便利である。
【００１６】
【発明の実施の形態】
以下、本発明の第１、第２、第３、および第４のデジタルカメラの共通の実施形態について説明する。
【００１７】
図１は、本実施形態のデジタルカメラ１の正面図（ａ）、左側面図（ｂ）、背面図（ｃ）、上面図（ｄ）である。
【００１８】
図１（ａ）に示す正面図には、カメラ筐体１１、撮影レンズ１３ａを内蔵するレンズ鏡胴１３、ファインダ対物窓１６、フラッシュ受光窓１４、セルフタイマ機能使用時に撮影までの時間に応じて点滅速度が変化するセルフタイマランプ１５、後述する６種類の撮影モードを切り換える撮影モードダイヤル２６が示されている。尚、フラッシュ受光窓１４は、フラッシュ発光時に被写体で反射して戻ってきたフラッシュ光の光量を検出するフラッシュ受光センサにフラッシュ光を導くための窓である。尚、このデジタルカメラ１には、実像式のズームファインダが備えられている。
【００１９】
図１（ｂ）に示す左側面図には、図１（ａ）にも示すレンズ鏡胴１３の他、撮影済みの画像データをプロジェクタなどに出力するための映像出力端子１７、この画像データをパーソナルコンピュータなどに送信するときに使用されるＵｎｉｖｅｒｓａｌ  Ｓｅｒｉａｌ  Ｂｕｓ（ＵＳＢ）ケーブルが接続されるＵＳＢ端子１８、外部電源端子１９、電池蓋１１ａが示されている。
【００２０】
図１（ｃ）に示す背面図には、画像を表示する液晶パネル２０、液晶パネルによる画像表示をオン／オフするための液晶パネル起動ボタン２２、ファインダ接眼窓２５、前述した撮影モードダイヤル２６、バリエーションの選択およびズームを行なう際に操作する十字キー２８、液晶パネル上にメニューを画像表示させたり、その確定に使用されるメニュー／ＯＫスイッチ２７、ポップアップ式のフラッシュ装置をカメラ筐体上面にポップアップさせて使用する際に操作するフラッシュ装置起動ボタン３０、およびメインスイッチ２３が示されている。
【００２１】
また、図１（ｃ）に示す背面図には、このデジタルカメラ１に備えられている‘撮影記録機能’および‘画像データ再生機能’のうちのいずれを選択するかを決定するために操作される機能選択レバー２４も示されており、この機能選択レバー２４を上側にもっていくと‘撮影記録機能’が選択され、この機能選択レバー２４を下側にもっていくと‘画像データ再生機能’が選択される。
【００２２】
図１（ｄ）に示す上面図には、図１（ａ）にも示すレンズ鏡胴１３の他、ポップアップ式のフラッシュ装置３１、およびレリーズボタン２９が示されている。
【００２３】
本実施形態のデジタルカメラ１は、詳しくは後述するが、固体撮像素子としてＣＣＤ（Ｃｈａｒｇｅ  Ｃｏｕｐｕｌｅｄ  Ｄｅｖｉｃｅ）撮像素子を採用する、ズームレンズ内蔵デジタルスチルカメラであり、ズーム機能は、光学ズームと電子ズームを併用している。尚、このデジタルカメラ１では、メインスイッチ２３をオンすると、カメラ前面に備えられるとともに、レンズを覆っていた図示しないレンズカバーが開かれ、レンズ鏡胴１３が所定の位置まで繰り出される。メインスイッチ２３をオフすると、繰り出されていたレンズ鏡胴１３がカメラ内部に沈胴され、撮影レンズ１３ａはそのレンズカバーによって覆われる。
【００２４】
図２は、本実施形態のデジタルカメラの内部ブロック図である。尚、このデジタルカメラ１には、フラッシュ装置３１、各種スイッチ類やＵＳＢ端子１８などからの信号を受信するＩ／Ｏポートコントローラ、フラッシュ受光センサ、光学ズームやフォーカシングを行なうために駆動されるモータ、モータを制御するモータドライバなどが備えられているが、ここでの図示は、本発明と無関係であるので省略されている。
【００２５】
図２には、このデジタルカメラ１全体を制御するＣＰＵ３９、このＣＰＵ３９の指示により、撮像レンズ１３ａを通して被写体を結像するＣｈａｒｇｅ  Ｃｏｕｐｌｅｄ  Ｄｅｖｉｃｅ（ＣＣＤ）撮像素子３４を駆動させることで、ＣＣＤ撮像素子３４から被写体像を表わす画像信号の出力を行なわせるタイミングジェネレータ１２ａ、この出力された画像信号を増幅する増幅器３２、および増幅器３２で増幅された画像信号をデジタル画像データに変換するＡ／Ｄ変換回路３３が示されている。
【００２６】
また、図２には、メモリであるＳＤＲＡＭ３５、このＳＤＲＡＭ３５にデジタル画像データを格納する画像入力コントローラ３６、ＳＤＲＡＭ３５に格納されているデジタル画像データを圧縮可能なように処理する画像信号処理回路３７、圧縮可能なように処理されたデジタル画像データを圧縮する圧縮処理回路３８、ＣＰＵ３９によってファイル形式に変換された圧縮済みのデジタル画像データを記録メディア４０に記録するメディアコントローラ４１、ＳＤＲＡＭ３５から転送された圧縮前のデジタル画像データを格納するＶＲＡＭ４２、ＶＲＡＭ４２に格納されている圧縮前のデジタル画像データに同期信号を付加してビデオ信号を作成するビデオエンコーダ４４、およびビデオエンコーダ４４で作成されたビデオ信号をデジタル信号からアナログ信号に変換して増幅する画像表示制御装置４３も示されている。この画像表示制御装置４３の制御によって液晶パネル２０では画像が表示される。
【００２７】
更に、図２には、ＣＣＤ撮像素子３４から出力される画像信号を基とする画像のコントラストを検出してフォーカシングを行なうＡＦ検出回路４６、ＣＣＤ撮像素子３４から出力される画像信号を基とする画像から輝度情報を検出するＡＥ検出回路４５の他、図１にも示す、機能選択レバー２４、メインスイッチ２３、ズーム操作にも使用する十文字キー２８、レリーズボタン２９、およびモードダイヤル２６も示されている。
【００２８】
モードダイヤル２６は、‘人物撮影’モード、‘マニュアル’モード、‘スポーツ’モード、‘ＡＵＴＯ（オート）’モード、‘風景撮影’モード、‘夜景撮影’モードの計６種類のモードのうちのいずれかを選択する際に操作されるダイヤルであり、このうち、‘マニュアル’モードおよび‘ＡＵＴＯ（オート）’モードでは、設定される感度、あるいはデフォルトの感度に応じて露出制御が行なわれており、‘人物撮影’モード、‘スポーツ’モード、‘風景撮影’モード、‘夜景撮影’モードでは、それぞれ異なるプログラム線図に応じた露出制御が行なわれている。このデジタルカメラ１のズーム機能は、光学ズームと電子ズームとの併用で行なわれており、図１に示す十文字キー２８のうちの‘△’マークが付着されているキーを押下することで望遠（ＴＥＬＥ）側、‘▽’マークが付着されているキーを押下することによって広角（ＷＩＤＥ）側にズームされる。光学ズーム範囲内の所定のズーム位置に現在調整されていると想定した場合に、‘△’マークを押下しつづけると、光学的なズームアップの限界まではレンズ鏡胴の繰り出しなどによるズームアップが行なわれ、光学的なズームアップの限界を過ぎると、次は、そのキーに対する押下のレベルをＣＰＵ３９で検出し、今度は電子的なズームアップが行なわれる。この電子的なズームアップは、この押下のレベルを検出し、ＣＣＤ撮像素子３４上の拡大範囲を演算によって決定するものである。
【００２９】
以下、このデジタルカメラ１の動作について説明する。
【００３０】
このデジタルカメラ１には、‘撮影記録機能’と‘画像データ再生機能’が備えられており、この撮影記録機能のうちの撮影機能については、ＣＣＤ撮像素子３４から出力されるアナログ画像データはＡ／Ｄ変換回路３３により、デジタル画像データに変換されてＳＤＲＡＭ３５に格納され、その後画像信号処理回路３７で処理されたデジタル画像データは、ＶＲＡＭ４２を経由してビデオエンコーダ４４などによって再処理された後、画像として液晶パネル２０に表示される。このようにして、ＣＣＤ撮像素子３１から送られて来る画像が、スルー画像で液晶パネルに表示される。尚、一方の記録機能および‘画像データ再生機能’については、本発明と無関係であるので説明は省略する。
【００３１】
ここで、本実施形態のデジタルカメラ１の、設定可能な記録画像サイズに対する設定可能なＩＳＯ感度を示す表を以下に示す。尚、このデジタルカメラ１の、通常感度における記録可能な画像サイズは、６メガピクセルである。
【００３２】
表１には、設定可能な記録画像サイズである、６メガピクセル（６Ｍ）、３メガピクセル（３Ｍ）、１メガピクセル（１Ｍ）、および０．４メガピクセル（ＶＧＡ規格）それぞれにおいて設定可能なＩＳＯ感度が示されており、高感度であるＩＳＯ８００、１６００については、記録画像サイズの設定が１メガピクセルの場合に限られている様子が示されている。
【００３３】
【表１】
0003836732.tif 000002
【００３４】
これは、本実施形態のデジタルカメラ１では、固体撮像素子を構成する複数の単位受光素子で得られた複数の輝度情報を、隣接する４つの単位受光素子で得られた４つの輝度情報ごとに統合して１つの輝度情報とする画素混合により高感度が実現されているためである。したがって、本来の記録可能な画像サイズである６メガピクセルが４分の１に縮減され、設定されている記録画像サイズが１．５メガピクセルを上回る場合は、１．５メガピクセルでしか撮影が行なわれないためである。尚、本実施形態では、この１．５メガピクセルではなく１メガピクセルを、画素混合の結果の記録可能な画像サイズとしており、この１メガピクセルが、本発明にいう高感度対応画像サイズに相当する。このため、設定されている記録画像サイズが１Ｍである場合は、高感度設定が可能であるとしている。また、本来であれば、記録画像サイズを０．４メガピクセル（ＶＧＡ規格）に設定した場合にも高感度設定が可能となるはずであるが、ここでは設定不能としている。
【００３５】
また、本実施形態のデジタルカメラ１の、設定可能な撮影モードに対して設定可能なＩＳＯ感度を示す表を以下に示す。
【００３６】
表２には、設定可能な撮影モードである、‘オート’モード、‘マニュアル’モード、‘人物’モード、‘スポーツ’モード、‘風景’モード、および‘夜景’モードそれぞれにおいて設定可能なＩＳＯ感度が示されており、‘マニュアル’モードでは、すべてのＩＳＯ感度（１００〜１６００）を選択することができるが、‘マニュアル’モード以外のモードでは、ＩＳＯ感度２００のみが選択可能である様子が示されている。
【００３７】
【表２】
0003836732.tif 000003
【００３８】
図３は、本実施形態のデジタルカメラの、モードダイヤルの状態、および、液晶パネルに表示される画像を示す図である。
【００３９】
図３の上段左端には、モードダイヤルが、‘マニュアル’モードに設定されている様子が示されており、図３の下段左付近には、モードダイアルが、‘オート’モードに設定されている様子が示されている。
【００４０】
図３（ａ）から図３（ｈ）には、液晶パネル２０に表示される画像が、図１に示す、メニュー／ＯＫボタン２７およびモードダイヤル２６の操作によって変化している様子が示されている。
【００４１】
以下、図１に示すメインスイッチ２３を押下して、図１および図２に示す機能選択レバー２４によって‘撮影記録’機能を選択した後、図３の上段左側に示すように、モードダイヤル２６（図１参照）で‘マニュアル’を選択した場合について説明しながら、このデジタルカメラ１の動作について述べる。
【００４２】
まず、モードダイヤル２６で‘マニュアル’モードが選択されていることから、図３（ａ）に示すスルー画像が、液晶パネル２０に表示される。
【００４３】
図３（ａ）の上端右側には、この画像が３メガピクセルの記録画像サイズで記録されていることを示す‘３Ｍ’が表示されると共に、図３（ａ）の上端左側には、‘マニュアル’モードのマークが表示されている。尚、この３メガピクセルは、後述するメニュー‘ピクセルサイズ’のデフォルトとなっている。
【００４４】
ここで、図１に示すメニュー／ＯＫボタン２７を押下すると、液晶パネル２０には、図３（ｂ）に示す画像が表示される。
【００４５】
図３（ｂ）には、この‘マニュアル’モードで選択することのできる複数のメニューが表示されている様子が示されている。ここでは、デフォルトでメニュー‘感度’が選択されており、このことを示すために、図３（ｂ）の中段左側に示す表示‘感度’がライトアップされると共に、図３（ｂ）の上端左側にも‘感度’が表示されている。尚、図３に示される表示‘感度’の右斜め上には、メニュー‘ピクセルサイズ’を選択するための表示‘ピクセルサイズ’が示されており、メニュー‘ピクセルサイズ’では、記録画像サイズの設定が可能となっている。これら以外のメニューについては、本発明とは無関係であるので説明は省略するが、これらメニューの選択は、図１に示す十字キー２８を操作して、ライトアップを、所望のメニューを表わす表示上に移動させることによって行ない、決定は、メニュー／ＯＫボタン２７を押下することによって行なわれる。
【００４６】
図３（ｃ）には、デフォルトメニュー‘感度’をライトアップさせたまま、メニュー／ＯＫボタン２７を押下(決定)し、このデジタルカメラ１において設定可能なＩＳＯ感度（１００、２００、４００、８００、１６００）のうち、ＩＳＯ感度４００を選択した時の液晶パネル２０における画像表示が示されている。
【００４７】
図３（ｄ）には、高感度であるＩＳＯ感度８００を選択するために、ライトアップをＩＳＯ感度４００からＩＳＯ感度８００に移動させたときの液晶パネルに表示される画像が示されている。この移動は、図１に示す十字キー２８を操作して行なわれる。尚、表示‘８００’および表示‘１６００’の右横の表示‘（１Ｍ）’の意味については後述する。
【００４８】
図３（ｅ）には、このＩＳＯ感度８００の選択による画素混合により、記録可能な画像サイズが３メガピクセル(図３（ａ）)参照）から１メガピクセルに縮減されたことを示すメッセージ‘ピクセル→（１Ｍ）’が液晶パネルに表示された様子が示されており、これにより、デフォルト選択されていた記録画像サイズである３メガピクセルは、この高感度設定により１メガピクセルに変更される。尚、このメッセージの表示は、図１に示すメニュー/ＯＫボタン２７が押下されるまで続けられる。
【００４９】
図３（ｆ）には、図３（ｅ）にメッセージに対して、メニュー/ＯＫボタン２７が押下された後、液晶パネル２０に表示される画像が示されている。
【００５０】
ここで、このデジタルカメラ１の電子ズーム機能について、以下に示す表を用いて説明する。
【００５１】
表３には、このデジタルカメラ１の電子ズーム機能を使用することのできる、選択可能な記録画像サイズとＩＳＯ感度との組み合わせが示されている。
【００５２】
【表３】
0003836732.tif 000004
【００５３】
表３に示されるように、このデジタルカメラ１では、ＩＳＯ感度８００、１６００が選択されると、すべての記録画像サイズにおいて電子ズーム機能は使用不能となり、さらに、ＩＳＯ感度８００未満であっても、６メガピクセルの記録画像サイズが選択されているときには、電子ズーム機能は使用不能となる。
【００５４】
これは、このデジタルカメラ１の電子ズーム機能は、画質の悪化防止のために、固体撮像素子上に設定される拡大する範囲によって決定される画像サイズが、１メガピクセルよりも大きい場合にのみ動作可能となっているためであり、ＩＳＯ感度８００以上が選択された場合には、固体撮像素子上の記録可能な画像サイズは１メガピクセルに縮減され、既に選択されている記録画像サイズが６メガピクセル、あるいは３メガピクセルの時は、この記録画像サイズが１メガピクセルに変更される。したがって、高感度設定が行なわれると、記録可能な画像サイズと記録画像サイズとは同じサイズになるため、電子ズーム機能の使用は不能となる。尚、ＩＳＯ感度が８００未満である場合の、選択されている記録画像データが６メガピクセルの場合も、同じ理由で電子ズームの使用が不能となる。また、選択された記録画像データが、０．４メガピクセル（ＶＧＡ規格）である場合については、ＩＳＯ感度が８００以上である場合には、前述したように、記録画像サイズは、１メガピクセルに変更されることから、電子ズーム機能の使用は不能となる。さらに、ＩＳＯ感度が８００未満で、選択されている記録画像データが３メガピクセル、あるいは１メガピクセルである場合には、拡大範囲が、固体撮像素子全体の６メガピクセルから、選択されている記録画像データのピクセルサイズまでの電子ズームが可能となっており、ＩＳＯ感度が８００未満で、選択されている記録画像データが０．４メガピクセルの場合には、固体撮像素子全体の６メガピクセルから１メガピクセルまでの電子ズームが可能となっている。
【００５５】
以下、図３（ｆ）に話を戻して説明を続ける。
【００５６】
図３（ｅ）に示されるメッセージ‘ピクセル→（１Ｍ）’の表示をメニュー／ＯＫボタン２７の押下によって終了させると、図３（ｆ）に示される、選択されたＩＳＯ感度が高感度のために電子ズーム機能の使用が不能であることを表わすメッセージ‘電子ズームできません’が、液晶パネル２０に表示される。
【００５７】
図３（ｆ）に示されるメッセージも、メニュー／ＯＫボタン２７の押下により終了させることができる。
【００５８】
図３（ｆ）に示されたメッセージをメニュー／ＯＫボタン２７で終了させると、選択されたＩＳＯ感度が高感度であることを表わす表示‘ＩＳＯ’が、現在の記録画像サイズである表示‘１Ｍ’と共に図３（ｇ）の上端中央付近に表示される。また、現在の選択モードである‘マニュアル’モードを表わすマークが、図３（ｇ）の上端左側に表示される。
【００５９】
ここで、図３の下段左付近に示すように、モードダイヤル２６が‘ＡＵＴＯ’に設定されると、図３（ｈ）に示されるように、図３（ｇ）で表示されていた表示‘ＩＳＯ’は省かれる。これは、撮影モードが‘マニュアル‘モードから‘ＡＵＴＯ’モードに切り換えられたため、感度が、表２に示すようにデフォルトのＩＳＯ感度２００に設定されたからである。
【００６０】
ここで、再び、モードダイヤルが、‘ＡＵＴＯ’モードから‘マニュアル‘モードに切り換えられると、感度は、直前の‘マニュアル’モードにおける高感度設定の直前に選択されていた通常感度であるＩＳＯ４００に設定されることとなる。
【００６１】
図４は、‘マニュアル’モードにおけるメニュー‘感度’においてＩＳＯ８００、あるいはＩＳＯ１６００が選択されたときに起動され、図２に示すＣＰＵによって実行されるルーチンのフローチャートである。
【００６２】
図４に示すルーチン‘高感度設定処理’のステップ１では、ＩＳＯ８００以上の高感度に設定される前の記録画像サイズが１メガピクセルであったか否かが判定される。
【００６３】
ステップＳ１において、１メガピクセルではないと判定されると、ステップＳ２に進み、記録画像サイズが１メガピクセルに変更されたことを意味するメッセージ’ピクセル→（１Ｍ）’が表示される。その後、ステップＳ３に進み、メニュー／ＯＫボタン２７の押下を待つ。
【００６４】
ステップＳ３において、メニュー／ＯＫボタン２７の押下がなければ、ステップＳ１に戻り、押下があれば、ステップＳ４に進む。
【００６５】
ステップＳ１において、１メガピクセルであると判定されると、ステップＳ４に進み、電子機能の使用が不能であることを意味するメッセージ‘電子ズームできません’が表示される。その後、ステップＳ５に進み、メニュー／ＯＫボタン２７の押下を待つ。
【００６６】
ステップＳ５において、メニュー／ＯＫボタン２７の押下がなければ、ステップＳ１に戻り、押下があれば、ステップＳ６に進む。
【００６７】
ステップＳ６では、現在の感度設定が高感度であることを意味する‘ＩＳＯ‘の表示が行なわれる。その後、ステップＳ７に進み、現在の感度が未だＩＳＯ８００以上であるか否かが判定される。
【００６８】
ステップＳ７において、感度が、ＩＳＯ８００以上であると判定されると、ステップＳ６を繰り返し、ステップＳ７において、ＩＳＯ８００未満であると判定されると、このルーチンを終了する。
【００６９】
図５は、モードダイヤル２６が操作することにより撮影モードが切り換えられた時に起動されるルーチン‘モード切換処理’のフローチャートである。
【００７０】
このルーチン‘モード切換処理’のステップＳ１１では、このモード切り換えが、６種類の撮影モードのうちの‘マニュアル’モード以外のモードからマニュアル’モードへの切り換えであるか否かが判定される。
【００７１】
ステップＳ１１において、‘マニュアル’モード以外のモードからマニュアル’モードへの切り換えではない、すなわち‘マニュアル’モード以外のモードどうしのモード切り換えである、あるいは、‘マニュアル’モードから‘マニュアル’モード以外のモードへの切り換えであると判定されたときは、ステップＳ１３に進み、デフォルトの感度であるＩＳＯ２００（表２参照）が設定される。
【００７２】
ステップＳ１１において、‘マニュアル’モード以外のモードからマニュアル’モードへの切り換えであると判定されると、ステップＳ１２に進み、前回の‘マニュアル’モードにおける高感度設定の直前に選択されていた通常感度であるＩＳＯ４００（図３（ｃ）参照）が設定される。
【００７３】
以上説明したように、本実施形態のデジタルカメラ１において、ＩＳＯ８００以上の高感度が設定されると、この高感度設定以前に設定されていた記録画像サイズが１メガピクセルを上回っていた場合には、その記録画像サイズが１メガピクセルに変更され、その変更を意味するメッセージが、所定のスイッチからの応答があるまで画像表示される。
【００７４】
また、本実施形態のデジタルカメラ１において、ＩＳＯ８００以上の高感度が設定されると、電子ズームの機能の使用が不能であることを意味するメッセージが、所定のスイッチからの応答があるまで表示され、その後、高感度が設定されている間中、このことを意味するマークが表示される。
【００７５】
さらに、本実施形態のデジタルカメラ１において、‘マニュアル’モードから６種類の撮影モードのうちの‘マニュアル’モード以外のモードへのモード切り換えが行なわれたときは、感度は、常にＩＳＯ２００に設定される。
【００７６】
また、本実施形態のデジタルカメラ１では、‘マニュアル’モードにおいてＩＳＯ８００以上の高感度が設定され、その後、‘マニュアル’モード以外のモードが選択されると、感度はＩＳＯ２００に設定される。その後、再び、‘マニュアル’モードが選択されると、前回の‘マニュアル’モードにおける高感度設定の直前に選択されていた通常感度ＩＳＯ４００が設定される。
【００７７】
これにより、本実施形態のデジタルカメラ１では、高感度設定による、意図しない記録画像サイズの変更、電子ズーム機能の使用不能などを撮影前や撮影操作前に知ることができ、さらには、撮影モード間の設定感度値の引きずりなども防止されている。
【００７８】
【発明の効果】
以上説明したように、本発明のデジタルカメラによれば、記録可能な画像サイズの減縮による高感度化に起因する撮影ミスを防止することができる。
【図面の簡単な説明】
【図１】本実施形態であるデジタルカメラ１の正面図（ａ）、左側面図（ｂ）、背面図（ｃ）、上面図（ｄ）である。
【図２】本実施形態のデジタルカメラの内部ブロック図である。
【図３】本実施形態のデジタルカメラの、モードダイヤルの状態、および、液晶パネルに表示される画像を示す図である。
【図４】‘マニュアル’モードにおけるメニュー‘感度’においてＩＳＯ８００、あるいはＩＳＯ１６００が選択されたときに起動され、図２に示すＣＰＵによって実行されるルーチンのフローチャートである。
【図５】モードダイヤル２６が操作することにより撮影モードが切り換えられた時に起動されるルーチン‘モード切り換え処理’のフローチャートである。
【符号の説明】
１  デジタルカメラ
１１  カメラ筐体
１１ａ  電池蓋
１３  レンズ鏡胴
１３ａ  撮影レンズ
１４  フラッシュ受光窓
１５  セルフタイマランプ
１６  ファインダ対物窓
１７  映像出力端子
１８  ＵＳＢ端子
１９  外部電源端子
２０  液晶パネル
２２  液晶パネル起動スイッチ
２３  メインスイッチ
２４  機能選択レバー
２５  ファインダ接眼窓
２６  撮影モードダイヤル
２７  メニュー／ＯＫスイッチ
２８  十字キー
２９  レリーズボタン
３０  フラッシュ装置起動ボタン
３１  フラッシュ装置
３２  増幅器
３３  Ａ／Ｄ変換回路
３４  ＣＣＤ撮像素子
３５  ＳＤＲＡＭ
３６  画像入力コントローラ
３７  画像信号処理回路
３８  圧縮処理回路
３９  ＣＰＵ
４０  記録メディア
４１  メディアコントローラ
４２  ＶＲＡＭ
４３  画像表示制御装置
４４  ビデオエンコーダ
４５  ＡＥ検出回路
４６  ＡＦ検出回路
【図１】
0003836732.tif 000005
【図２】
0003836732.tif 000006
【図３】
0003836732.tif 000007
【図４】
0003836732.tif 000008
【図５】
0003836732.tif 000009